(57)【要約】【課題】ＨｅＮＢに在圏している移動局を通信可能な他の基地局へハンドオーバ可能とするＨｅＮＢを提供する。【解決手段】ＨｅＮＢ３０は、ゲートウェイ２０による中継処理によってＭＭＥと通信する。ＨｅＮＢ３０は、ゲートウェイ２０の状態を検知する。ＨｅＮＢ３０は、ゲートウェイ２０の状態に応じて携帯型電話機４０との通信を止める。【選択図】図４
2013051561.tif 000002
【特許請求の範囲】
【請求項１】
ゲートウェイによる中継処理によってモビリティ管理を行なうエンティティと通信する基地局であって、
前記ゲートウェイの状態を検知する検知手段と、
前記ゲートウェイの状態に応じて移動局との通信を止める通信制御手段とを備える、基地局。
【請求項２】
ゲートウェイによる中継処理によってモビリティ管理を行なうエンティティと通信する基地局であって、
前記ゲートウェイの状態を検知する検知手段と、
前記ゲートウェイの故障が検知されると、移動局を当該ゲートウェイ傘下以外の基地局へハンドオーバさせる指令を前記移動局に送信する送信制御手段とを備える、基地局。
【請求項３】
前記ゲートウェイから予め定められた周期で送信される信号を、前記周期よりも長い予め定められた時間以内に受信できない場合、前記ゲートウェイに送信した要求信号に対する応答信号を、当該要求信号を送信したときから予め定められた時間以内に当該ゲートウェイから受信できない場合、または、前記ゲートウェイから当該ゲートウェイが通信不能な状態であることを表した信号を受信した場合、前記検知手段は、前記ゲートウェイとの通信が不能な状態になったと判断し、前記通信制御手段は、前記移動局との通信を止める、請求項１に記載の基地局。
【請求項４】
前記ゲートウェイから予め定められた周期で送信される信号を、前記周期よりも長い予め定められた時間以内に受信できないこと、前記ゲートウェイに送信した要求信号に対する応答信号を、当該要求信号を送信したときから予め定められた時間以内に当該ゲートウェイから受信できないこと、または、前記ゲートウェイから当該ゲートウェイが通信不能な状態であることを表した信号を受信したことに基づき、前記検知手段は、前記ゲートウェイの故障を検知する、請求項２に記載の基地局。
【請求項５】
前記通信制御手段は、当該基地局の一部または全部の構成の電源を切る処理、当該基地局から移動局への信号の送信を止める処理、および当該基地局を再起動させる処理の少なくとも１つの処理を実行させる、請求項１に記載の基地局。
【請求項６】
ゲートウェイによる中継処理によってモビリティ管理を行なうエンティティと通信する基地局であって、
前記ゲートウェイの状態を検知する検知手段と、
前記ゲートウェイの故障が検知されると、前記基地局の動作モードを前記移動局のアクセスを許可する設定から禁止する設定に変更する変更手段とを備える、基地局。
【請求項７】
ゲートウェイによる中継処理によってモビリティ管理を行なうエンティティと通信する基地局におけるハンドオーバ制御方法であって、
前記基地局が、前記ゲートウェイの状態を検知するステップと、
前記ゲートウェイの状態に応じて移動局との通信を止めるステップとを備える、ハンドオーバ制御方法。
【請求項８】
ゲートウェイによる中継処理によってモビリティ管理を行なうエンティティと通信する基地局におけるハンドオーバ制御方法であって、
前記基地局が、前記ゲートウェイの状態を検知するステップと、
【請求項９】
請求項７または８に記載のハンドオーバ制御方法をコンピュータに実行させるためのプログラム。
【発明の詳細な説明】
【技術分野】
【０００１】
本発明は、基地局、ハンドオーバ制御方法、およびプログラムに関する。本発明は、特に、ゲートウェイによってモビリティ管理を行なうエンティティと通信する基地局、基地局におけるハンドオーバ制御方法、基地局を制御するためのプログラムに関する。
【背景技術】
【０００２】
従来、商業施設などには、多数のＨｅＮＢ（Home eNodeB）が設置されている。たとえば、店舗毎にＨｅＮＢが設置されている。このような状況下では、移動局（たとえば、携帯型電話機）の所有者は頻繁に商業施設内を移動するため、ハンドオーバの回数も当然に多くなる。
【０００３】
そこで、室内用基地局よりも上位の設備に多くの負荷がかからないように、たとえば特許文献１および特許文献２に示すように、モビリティ管理を行なうエンティティ（ＭＭＥ：Mobility Management Entity）等とＨｅＮＢとの間にゲートウェイ（ＧＷ：Gateway）の設置がなされている。
【先行技術文献】
【特許文献】
【０００４】
【特許文献１】特開２０１０−２１３２７３号公報
【特許文献２】特開２０１０−０１１１１０号公報
【発明の概要】
【発明が解決しようとする課題】
【０００５】
しかしながら、特許文献１および特許文献２には、ゲートウェイが故障等によりＨｅＮＢと通信不能となった場合にＨｅＮＢがどのような動作を行なうかについての開示はない。このため、当該通信不能となったゲートウェイの配下にあるＨｅＮＢに在圏している移動局は、他の移動局との間で通信不能となる。
【０００６】
より詳しくは、以下のとおりである。移動局が他の基地局により構成されるセルに移動するか否かは、基本的には通信品質に依存する。このため、ゲートウェイが通信不能となった場合にＨｅＮＢが電波を出し続けている限り、当該ＨｅＮＢに在圏している移動局は他の基地局が構成するセルにハンドオーバできなくなる。このため、移動局は、他の移動局との間で通信不能となる。
【０００７】
本願発明は、上記の問題点に鑑みなされたものであって、その目的は、基地局に在圏している移動局を通信可能な他の基地局へハンドオーバ可能とする基地局、ハンドオーバ制御方法、およびプログラムを提供することにある。
【課題を解決するための手段】
【０００８】
本発明のある局面に従うと、基地局は、ゲートウェイによる中継処理によってモビリティ管理を行なうエンティティと通信する。基地局は、ゲートウェイの状態を検知する検知手段と、ゲートウェイの状態に応じて移動局との通信を止める通信制御手段とを備える。
【０００９】
本発明の他の局面に従うと、基地局は、ゲートウェイによる中継処理によってモビリティ管理を行なうエンティティと通信する。基地局は、ゲートウェイの状態を検知する検知手段と、ゲートウェイの故障が検知されると、移動局を当該ゲートウェイ傘下以外の基地局へハンドオーバさせる指令を移動局に送信する送信制御手段とを備える。
【００１０】
好ましくは、ゲートウェイから予め定められた周期で送信される信号を、周期よりも長い予め定められた時間以内に受信できない場合、ゲートウェイに送信した要求信号に対する応答信号を、当該要求信号を送信したときから予め定められた時間以内に当該ゲートウェイから受信できない場合、または、ゲートウェイから当該ゲートウェイが通信不能な状態であることを表した信号を受信した場合、検知手段は、ゲートウェイとの通信が不能な状態になったと判断し、通信制御手段は、移動局との通信を止める。
【００１１】
好ましくは、ゲートウェイから予め定められた周期で送信される信号を、周期よりも長い予め定められた時間以内に受信できないこと、ゲートウェイに送信した要求信号に対する応答信号を、当該要求信号を送信したときから予め定められた時間以内に当該ゲートウェイから受信できないこと、または、ゲートウェイから当該ゲートウェイが通信不能な状態であることを表した信号を受信したことに基づき、検知手段は、ゲートウェイの故障を検知する。
【００１２】
好ましくは、通信制御手段は、当該基地局の一部または全部の構成の電源を切る処理、当該基地局から移動局への信号の送信を止める処理、および当該基地局を再起動処理の少なくとも１つの処理を実行させる。
【００１３】
本発明のさらに他の局面に従うと、基地局は、ゲートウェイによる中継処理によってモビリティ管理を行なうエンティティと通信する。基地局は、ゲートウェイの状態を検知する検知手段と、ゲートウェイの故障が検知されると、基地局の動作モードを移動局のアクセスを許可する設定から禁止する設定に変更する変更手段とを備える。
【００１４】
本発明のさらに他の局面に従うと、ハンドオーバ制御方法は、ゲートウェイによる中継処理によってモビリティ管理を行なうエンティティと通信する基地局におけるハンドオーバ制御方法である。ハンドオーバ制御方法は、基地局が、ゲートウェイの状態を検知するステップと、ゲートウェイの状態に応じて移動局との通信を止めるステップとを備える。
【００１５】
本発明のさらに他の局面に従うと、ハンドオーバ制御方法は、ゲートウェイによる中継処理によってモビリティ管理を行なうエンティティと通信する基地局におけるハンドオーバ制御方法である。ハンドオーバ制御方法は、基地局が、ゲートウェイの状態を検知するステップと、基地局が、ゲートウェイの故障が検知されると、移動局を当該ゲートウェイ傘下以外の基地局へハンドオーバさせる指令を移動局に送信するステップとを備える。
【００１６】
本発明のさらに他の局面に従うと、プログラムは、上記ハンドオーバ制御方法をコンピュータに実行させる。
【発明の効果】
【００１７】
本発明によれば、基地局に在圏している移動局を通信可能な他の基地局へハンドオーバ可能となる。
【図面の簡単な説明】
【００１８】
【図１】通信システムの概略構成を表した図である。
【図２】ＨｅＮＢの機能ブロック図である。
【図３】通信不能と判断するための判断基準と、処理タイミングと、予め定められた処理の内容とを表した図である。
【図４】ＨｅＮＢの処理の流れを示したフローチャートである。
【図５】ＨｅＮＢの典型的なハードウェア構成を表した図である。
【図６】他のＨｅＮＢの機能ブロック図である。
【図７】通信不能と判断するための判断基準と、処理タイミングと、予め定められた処理の内容とを表した図である。
【図８】他のＨｅＮＢ３０の処理の流れを示したフローチャートである。
【図９】さらに他のＨｅＮＢの機能ブロック図である。
【図１０】他の通信システムの構成を示した図である。
【発明を実施するための形態】
【００１９】
以下、図面を参照しつつ、本発明の各実施の形態に係る電子機器について説明する。以下の説明では、同一の部品には同一の符号を付してある。それらの名称および機能も同じである。したがって、それらについての詳細な説明は繰り返さない。
【００２０】
なお、以下において「ハンドオーバ」とは、移動局が、接続する基地局を切り換えることをいう。また、典型的には、「ハンドオーバ」とは、移動局がセルをまたいで移動したとき、移動前のセルの基地局から移動先のセルの基地局に接続情報を引き渡して通信を継続できるようにすることをいう。つまり、「ハンドオーバ」とは、移動局の移動に伴って移動先のセルの基地局に接続（いわゆる再接続）することであるとも言える。
【００２１】
［実施の形態１］
＜１．システム構成＞
図１は、本実施の形態に係る通信システム１の概略構成を表した図である。図１を参照して、通信システム１は、ＭＭＥ１０と、ゲートウェイ２０と、ＨｅＮＢ３０と、移動局（ＵＥ）としての携帯型電話機４０とを備える。
【００２２】
ＭＭＥ１０は、移動局の位置登録、呼出、および基地局間ハンドオーバなどのモビリティ管理を行なうノード（移動性管理実体）である。ＭＭＥ１０は、ゲートウェイ２０と通信をする。
【００２３】
ゲートウェイ２０は、ＭＭＥ１０とＨｅＮＢ３０との間におけるデータ通信を中継する機器である。ゲートウェイ２０は、ＨｅＮＢ３０に対して、予め定められた周期Ｔａで予め定められた信号を送信する。また、ゲートウェイ２０は、ＨｅＮＢ３０から要求信号を受信した場合、当該要求信号に対する応答信号をＨｅＮＢ３０に送信する。さらに、ゲートウェイ２０は、各種の信号をＨｅＮＢ３０およびＭＭＥ１０に送信する。
【００２４】
ＨｅＮＢ３０は、フェムトセルを管理する無線基地局である。ＨｅＮＢは、たとえば、屋内用基地局である。ＨｅＮＢ３０は、携帯型電話機４０との間で通信する。また、ＨｅＮＢ３０は、ゲートウェイ２０との間で通信する。具体的には、ＨｅＮＢ３０は、携帯型電話機４０から送信されたデータを、ゲートウェイ２０を介してＭＭＥ１０に送信する。ＨｅＮＢ３０は、ゲートウェイ２０を介してＭＭＥ１０から送信されたデータを、携帯型電話機４０に送信する。
【００２５】
ＨｅＮＢ３０は、他のＨｅＮＢ等の基地局に携帯型電話機４０をハンドオーバさせる処理も行なう。具体的には、ＨｅＮＢ３０は、他のＨｅＮＢ等の基地局であって、ＨｅＮＢ３０の傘下にある基地局に携帯型電話機４０をハンドオーバさせる処理を行なう。
【００２６】
ＨｅＮＢ３０の処理の概要を説明すると以下のとおりである。ＨｅＮＢ３０は、ゲートウェイ２０との通信が不能な状態になったことを検知する。ＨｅＮＢ３０は、通信が不能な状態になったことを検知すると、一例として当該検知の直後に、ＨｅＮＢ３０に在圏する移動局（たとえば、携帯型電話機４０）をＨｅＮＢ３０とは異なる基地局（たとえば、他のＨｅＮＢ）にハンドオーバをさせるための予め定められた処理を実行する。「予め定められた処理」の内容については、後述する（図３（ｃ））。
【００２７】
図２は、ＨｅＮＢ３０の機能ブロック図である。図２を参照して、ＨｅＮＢ３０は、電源３１と、電源制御部３２と、制御部３３と、メモリ３４と、通信インターフェイス３５と、通信インターフェイス３６と、図示しないタイマを備える。制御部３３は、検知部３３１と、処理実行部３３２と、通信制御部３３４とを備える。
【００２８】
電源３１は、電源制御部３２を介して、制御部３３、メモリ３４、通信インターフェイス３５，３６に電源を供給する。電源制御部３２は、各部３３〜３６に対する電源３１による電力の供給の開始および停止を制御する。電源制御部３２は、電気の導通をオンおよびオフするためのスイッチを含んで構成される。
【００２９】
通信インターフェイス３５は、ゲートウェイ２０と通信するためのインターフェイスである。通信インターフェイス３６は、携帯型電話機４０と通信するためのインターフェイスである。通信インターフェイス３５，３６は、制御部３３の通信制御部３３４により動作が制御される。
【００３０】
制御部３３は、メモリ３４に格納されているプログラムおよびデータに基づいて、ＨｅＮＢ３０の全体的な動作を制御する。検知部３３１は、ゲートウェイ２０の状態を検知する。たとえば、検知部３３１は、ゲートウェイ２０が故障したことを検知する。具体的には、検知部３３１は、ゲートウェイ２０との通信が不能な状態になったことを検知する。処理実行部３３２は、検知部３３１によってゲートウェイ２０との通信が不能な状態になったことが検知されると、たとえば当該検知の直後に、上述した予め定められた処理を実行する。
【００３１】
また、制御部３３は、ゲートウェイ２０との通信が復旧したことも検知する。制御部３３は、ゲートウェイ２０との通信が復旧したことを検知した場合、以下の処理を行なう。制御部３３は、ＨｅＮＢ３０の通信インターフェイス３５，３６（送受信部）の電源がオフの場合には、オンにする。制御部３３は、ＨｅＮＢ３０の送信電波のみをオフしている場合には、送信電波をオンする。制御部３３は、ＨｅＮＢ３０が移動局のＨｅＮＢへのアクセスを禁止する動作モード（Ｂａｒｒｅｄ設定）である場合は、アクセスを許可する動作モードに切り替える（Ｂａｒｒｅｄ設定の解除）。
【００３２】
通信制御部３３４は、詳細については後述するが、ゲートウェイ２０の状態に応じて携帯型電話機４０との通信を止める。
【００３３】
なお、上記の処理以外にＨｅＮＢ３０が行なう処理については、適宜、後述する。
図３は、通信不能と判断するための判断基準と、処理タイミングと、予め定められた処理の内容とを表した図である。図３（ａ）は、通信不能と判断するための判断基準（故障／輻輳の判断基準）を表した図である。図３（ｂ）は、図３（ｃ）の処理内容を実行するタイミングを表した図である。図３（ｃ）は、予め定められた処理の内容を表した図である。
【００３４】
図３（ａ）を参照して、ＨｅＮＢ３０は、ゲートウェイ２０との通信が不能な状態になったことを検知するための判断基準として、基準Ａ、基準Ｂ、および基準Ｃのいずれかの判断基準を用いる。いずれの基準を用いるかは、ＨｅＮＢ３０において予め設定されている。
【００３５】
図３（ｂ）を参照して、ＨｅＮＢ３０は、ゲートウェイ２０との通信が不能な状態になったことが検知されると、タイミングａまたはタイミングｂで、図３（ｃ）の処理内容を実行する。いずれのタイミングを用いるかは、ＨｅＮＢ３０において予め設定されている。
【００３６】
なお、用いるタイミングがＨｅＮＢ３０において予め設定されている必要は必ずしもない。たとえば、タイミングの設定が動的に変化するように、ＨｅＮＢ３０を構成してもよい。動的に変化する態様として、以下の２つの例が挙げられる。
【００３７】
１つ目の態様として、ＨｅＮＢ３０は、上位の機器からの指示に基づいたタイミングを用いる。２つ目の態様として、ＨｅＮＢ３０は、予め設定されている複数のタイミングのうち、用いるタイミングを自動で切り替える。２つ目の態様として、たとえば、「ＨｅＮＢ３０の再起動」→「改善なし」→「ＨｅＮＢ３０の再起動」→「改善なし」→「Ｂａｒｒｅｄ設定（アクセス禁止）」が挙げられる。
【００３８】
図３（ｃ）を参照して、ＨｅＮＢ３０は、図３（ｂ）に示したタイミングにて、上記予め定められた処理として、処理α、処理β、処理γ、および処理δのいずれかの処理を実行する。
【００３９】
以下では、まず、上記判断基準として基準Ａを用いた場合について説明する。次いで、上記判断基準として基準Ｂを用いた場合について説明する。最後に、上記判断基準として基準Ｃを用いた場合について説明する。
【００４０】
＜２−１．基準Ａを利用した例＞
以下では、説明の便宜上、図３（ｃ）の処理内容を実行するタイミングとして、タイミングａ（図３（ｂ）参照）が設定されているものとして説明する。
【００４１】
（１．処理αを実行する場合）
ＨｅＮＢ３０が処理αを実行する場合について説明する。ＨｅＮＢ３０は、ゲートウェイ２０から周期Ｔａで送信される信号を周期Ｔａよりも長い時間受信できない場合には、ゲートウェイ２０との通信が不能な状態になったと判断する。ＨｅＮＢ３０は、ゲートウェイ２０との通信が不能な状態になったと判断した場合、当該検知の直後に、ＨｅＮＢ３０本体の電源をオフする。より詳しくは、処理実行部３３２は、電源制御部３２に、制御部３３への電源３１による電力の供給を停止させる。
【００４２】
したがって、ＨｅＮＢ３０に在圏している携帯型電話機４０は、ＨｅＮＢ３０との間で通信ができなくなる。それゆえ、携帯型電話機４０は、ＨｅＮＢ３０により構成されるセルの近隣のセルをサーチすることになる。したがって、ＨｅＮＢ３０は、携帯型電話機４０を通信可能な他の基地局へハンドオーバさせることが可能となる。
【００４３】
（２．処理βを実行する場合）
ＨｅＮＢ３０が処理βを実行する場合について説明する。ＨｅＮＢ３０は、基準Ａに基づきゲートウェイ２０との通信が不能な状態になったと判断した場合、当該判断の直後（つまり、検知の直後）に、通信インターフェイス３６に電源をオフとする。より詳しくは、処理実行部３３２は、電源制御部３２に、通信インターフェイスへ３６の電源３１による電力の供給を停止させる。
【００４４】
したがって、ＨｅＮＢ３０に在圏している携帯型電話機４０は、ＨｅＮＢ３０との間で通信ができなくなる。それゆえ、携帯型電話機４０は、ＨｅＮＢ３０により構成されるセルの近隣のセルをサーチすることになる。したがって、ＨｅＮＢ３０は、携帯型電話機４０を通信可能な他の基地局へハンドオーバさせることが可能となる。
【００４５】
処理βを行なう場合には、制御部３３および通信インターフェイス３５に対して電源３１は電力を供給し続けている。このため、制御部３３は、ゲートウェイ２０との通信が復旧したことを検知すると、電源制御部３２に対して通信インターフェイス３６への電力の供給を再開させるように指示することが好ましい。当該構成により、指示をしない構成に比べて、ハンドオーバの回数をさらに少なくすることができる。
【００４６】
（３．処理γを実行する場合）
ＨｅＮＢ３０が処理γを実行する場合について説明する。ＨｅＮＢ３０は、基準Ａに基づきゲートウェイ２０との通信が不能な状態になったと判断した場合、当該判断の直後（つまり、検知の直後）に、通信インターフェイス３６に携帯型電話機４０への信号の送信を停止させる。より詳しくは、処理実行部３３２が、通信インターフェイス３６に携帯型電話機４０への信号の送信を停止させる。
【００４７】
したがって、携帯型電話機４０は、ＨｅＮＢ３０との間で通信ができなくなる。それゆえ、ＨｅＮＢ３０は、携帯型電話機４０を通信可能な他の基地局へハンドオーバさせることが可能となる。
【００４８】
処理γを行なう場合には、制御部３３は、ゲートウェイ２０との通信が復旧したことを検知すると、通信インターフェイス３６に対して携帯型電話機４０への信号の送信を再開させるように指示することが好ましい。当該構成により、指示をしない構成に比べて、ハンドオーバの回数をさらに少なくすることができる。
【００４９】
また、処理γを行なった場合であっても、ＨｅＮＢ３０は、携帯型電話機４０が送信する信号を受信することができる。したがって、ＨｅＮＢ３０を携帯型電話機４０から遠隔操作を受け付けることが可能なように構成しておけば、携帯型電話機４０の利用者は、ＨｅＮＢ３０に対して携帯型電話機４０への信号の送信を再開させるように指示することが可能となる。
【００５０】
（４．処理δを実行する場合）
ＨｅＮＢ３０が処理δを実行する場合について説明する。ＨｅＮＢ３０は、基準Ａに基づきゲートウェイ２０との通信が不能な状態になったと判断した場合、当該判断の直後（つまり、検知の直後）に、再起動する。より詳しくは、処理実行部３３２が、電源制御部３２に対して、電源３１から制御部３３への電力の供給を一旦停止させ、その後、電力の供給を再開する処理を行なうように指示する。
【００５１】
したがって、携帯型電話機４０は、一時的に、ＨｅＮＢ３０との間で通信ができなくなる。それゆえ、ＨｅＮＢ３０は、携帯型電話機４０を通信可能な他の基地局へハンドオーバさせることが可能となる。
【００５２】
処理δを行なう場合、ゲートウェイ２０が復旧すると、携帯型電話機４０は、速やかにＨｅＮＢ３０にハンドオーバすることができる。
【００５３】
また、ゲートウェイ２０との通信不能（輻輳含む）の原因がゲートウェイ２０とＨｅＮＢ３０との間の接続（状態不一致等）に起因するときには、ＨｅＮＢ３０はゲートウェイ２０との通信の復旧が可能となる。
【００５４】
ここで、処理α，β，γ，δそれぞれの、他の処理と比べたメリットについて説明する。
【００５５】
・処理αのメリット
携帯型電話機４０が他のセルに移動し、通信できるようになる。
【００５６】
・処理βのメリット
処理αのメリットに加え、以下のメリットがある。ゲートウェイ２０が復旧した場合、ＨｅＮＢ３０本体の電源はオンであるためＨｅＮＢ３０自身の復旧検知部で、ゲートウェイ２０の復旧を検知すると、自動で通信インターフェイス３５，３６をオンすることが可能となる。
【００５７】
・処理γのメリット
処理αのメリットおよび処理βのメリットに加え、以下のメリットがある。ＨｅＮＢ３０は、自動で通信インターフェイス３５，３６をオンすることにより、携帯型電話機４０からのデータ受信が可能となる。このため、ユーザは、携帯型電話機４０からの遠隔操作によって、ＨｅＮＢ３０をオンにすることが可能となる。
【００５８】
・処理δのメリット
処理αのメリットに加え、以下のメリットがある。ゲートウェイ２０の故障／輻輳の原因が、ゲートウェイ２０とＨｅＮＢ３０との間の接続（状態不一致等）起因している場合には、ＨｅＮＢ３０はゲートウェイ２０を復旧可能となる。この場合、ＨｅＮＢ３０は、復旧を確認するまで、通信インターフェイス３５，３６をオフしてもよい。さらに、ゲートウェイ２０が復旧した場合、ＨｅＮＢ３０は通常状態であるため、携帯型電話機４０もすぐにＨｅＮＢ３０に戻ることが可能となる。なお、ゲートウェイ２０が再起動しても復旧しない場合には、基準Ａとタイミングａと処理αとを組合せた処理、基準Ａとタイミングａと処理βとを組合せた処理、または基準Ａとタイミングａと処理γとを組合せた処理に移行する。
【００５９】
なお、「輻輳」とは、ネットワーク上で多量のトラフィックが発生し、通常の送受信が困難な状態になることである。たとえば、通信システム１が“3GPP TS 36.314 V10.0.0 (2010-12)”の規格に従ったシステムである場合には、Ｌ２の測定において、ゲートウェイ２０の負荷、アクティブな移動局（ＵＥ）の数、パケット遅延、データ損失、ＩＰスループットなどの項目により、輻輳か否かを判断する。
【００６０】
さらに、ＨｅＮＢ３０は、再起動後、ゲートウェイ２０との通信が復旧するまで、通信インターフェイス３６に対する電力の供給を停止してもよい。
【００６１】
また、再起動してもゲートウェイ２０との間の通信が復旧しない場合には、上述した処理α、処理β、および処理γのいずれかを実行するようにＨｅＮＢを構成しておくことが好ましい。
【００６２】
（５．変形例）
ところで、上記の処理α〜δを実行するタイミングとして、タイミングａ（図３（ｂ）参照）が設定されているものとした。つまり、ＨｅＮＢ３０は、ゲートウェイ２０との通信が不能であると検知した場合、当該検知の直後に、処理α〜δのいずれかを実行する構成を例に挙げて説明した。
【００６３】
しかしながら、処理を実行するタイミングは、当該タイミングに限定されるものではない。ＨｅＮＢ３０は、上記タイミングとして、図３（ｂ）に示すタイミングｂを用いてもよい。つまり、ＨｅＮＢ３０は、ゲートウェイ２０との通信が不能であると検知した場合、ゲートウェイ２０との通信が不能な状態になったことを検知してから予め定められた時間Ｔｄが経過した後に、処理α〜δのいずれかを実行するように、ＨｅＮＢ３０を構成してもよい。なお、当該構成の場合には、ＨｅＮＢ３０は、上述したタイマを用いて処理の実行タイミングを調整する。
【００６４】
ＨｅＮＢ３０は、タイミングｂが設定されている場合にも、タイミングａが設定されている場合における各処理α，β，γ，δについて述べた効果と同様の効果を奏する。さらに、タイミングｂは、ゲートウェイ２０との間の通信不能状態が短時間で復旧する場合に有効である。ＨｅＮＢ３０は、たとえば短時間の故障または輻輳（たとえば瞬時停電）などを誤検出した場合であっても、処理α〜δのいずれかを行なわないためである。
【００６５】
なお、携帯型電話機４０のプロトコルでは、ある動作をすると、エラー（応答なし等）の判定用のタイマが起動することが多い。このため、タイミングｂを用いることにより、当該タイマを意図した動作を実現可能となる利点がある。
【００６６】
＜２−２．基準Ｂを利用した例＞
次に、判断基準として基準Ｂを用いた場合について説明する。この場合、ＨｅＮＢ３０は、ゲートウェイ２０に送信した要求信号に対する応答信号を、当該要求信号を送信したときから予め定められた時間Ｔｃ以内にゲートウェイ２０から受信できない場合には、ゲートウェイ２０との通信が不能な状態になったと判断する。
【００６７】
ＨｅＮＢ３０は、ゲートウェイ２０との通信が不能な状態になったと判断した場合、当該検知の直後（タイミングａ）または当該検知から時間Ｔｄが経過した後（タイミングｂ）に、処理α〜δの何れかの処理を実行する。なお、タイミングａを用いるかタイミングｂを用いるかは、ＨｅＮＢ３０において予め定められている。また、処理α、処理β、処理γ、および処理δの何れを実施するかについてもＨｅＮＢ３０において予め定められている。
【００６８】
ＨｅＮＢ３０が基準Ｂを用いる場合も、基準Ａにおいて各処理α，β，γ，δについて述べた効果と同様の効果を得ることができる。つまり、少なくとも「携帯型電話機４０が他のセルに移動することによって通信できるようになる」といった効果が得られる。
【００６９】
＜２−３．基準Ｃを利用した例＞
次に、判断基準として基準Ｃを用いた場合について説明する。この場合、ＨｅＮＢ３０は、ゲートウェイ２０からゲートウェイ２０が通信不能な状態であることを表した信号を受信した場合には、ゲートウェイ２０との通信が不能な状態になったと判断する。
【００７０】
ＨｅＮＢ３０は、ゲートウェイ２０との通信が不能な状態になったと判断した場合、当該検知の直後（タイミングａ）または当該検知から時間Ｔｄが経過した後（タイミングｂ）に、処理α〜δの何れかの処理を実行する。なお、タイミングａを用いるかタイミングｂを用いるかは、ＨｅＮＢ３０において予め定められている。また、処理α、処理β、処理γ、および処理δの何れを実施するかについてもＨｅＮＢ３０において予め定められている。なお、基準Ａ，Ｂ，Ｃは、故障／輻輳の判断基準を表すものである。基準Ａ，Ｂ，Ｃを用いるメリットは、基準Ａ、Ｂ，Ｃとも、「故障／輻輳の判定ができる」ことである。
【００７１】
ＨｅＮＢ３０が基準Ｃを用いる場合も、基準Ａにおいて各処理α，β，γ，δについて述べた効果と同様の効果を得ることができる。つまり、少なくとも「携帯型電話機４０が他のセルに移動することによって通信できるようになる」といった効果が得られる。
【００７２】
＜３．制御構造＞
図４は、ＨｅＮＢ３０の処理の流れを示したフローチャートである。図４を参照して、ステップＳ２において、ＨｅＮＢ３０の制御部３３は、通信インターフェイス３５を用いて、ゲートウェイ２０の状態監視を行なう。ステップＳ４において、制御部３３は、検知部３３１がゲートウェイ２０との通信が不能な状態となったことを検知したか否かを判断する。
【００７３】
制御部３３は、通信が不能な状態になったことを検知部３３１が検知したと判断した場合（ステップＳ４においてＹＥＳ）、ステップＳ６において、検知の直後（または検知がされたときから予め定められた時間Ｔｄが経過した後）に、ＨｅＮＢ３０に在圏する携帯型電話機４０をＨｅＮＢ３０とは異なる基地局にハンドオーバさせるための処理（処理α、処理β、処理γ、または処理δ）を実行する。一方、制御部３３は、通信が不能な状態になったことを検知部３３１が検知していないと判断した場合、処理をステップＳ２に進める。
【００７４】
＜４．室内用基地局のハードウェア構成＞
図５は、ＨｅＮＢ３０の典型的なハードウェア構成を表した図である。図５を参照して、ＨｅＮＢ３０は、アンテナ３５１と、無線処理部１３００と、制御・ベースバンド部２３００とを備える。
【００７５】
各無線処理部１３００は、デュプレクサ１３０１と、パワーアンプ１３０３と、ローノイズアンプ１３０５と、送信回路１３０７と、受信回路１３０９と、直交変復調部１３１０とを備える。制御・ベースバンド部２３００は、ベースバンド回路２３１０と、制御装置２３２０と、電源装置２３５０と、タイミング制御部２３３０と、通信インターフェイス２３４０とを備える。制御装置２３２０は、ＣＰＵ２３２１と、ＲＯＭ２３２２と、ＲＡＭ２３２３と、不揮発性メモリ２３２４と、ＨＤＤ（Hard Disk Drive）２３２５とを備える。
【００７６】
直交変復調部１３１１は、ベースバンド回路２３１０で処理されるＯＦＤＭ（Orthogonal Frequency Division Multiplexing）信号を直交変復調し、アナログ信号（ＲＦ（Radio Frequency）信号）と変換する。送信回路１３０７は、直交変復調部１３１１で生成されたＲＦ信号を、電波として送出する周波数に変換する。受信回路１３０９は、受信した電波を直交変復調部１３１１で処理する周波数に変換する。
【００７７】
パワーアンプ１３０３は、送信回路１３０７で生成したＲＦ信号を、アンテナ３５１から送信するために電力増幅する。ローノイズアンプ１３０５は、アンテナ３５１で受信した微弱電波を増幅し、受信回路１３０９に渡す。
【００７８】
制御装置２３２０は、ＨｅＮＢ３０全体の制御、および呼制御のプロトコルや制御監視を行なう。タイミング制御部２３３０は、伝送路等から抽出した基準クロックを基に、ＨｅＮＢ３０内部で使用する各種クロックを生成する。
【００７９】
通信インターフェイス２３４０は、イーサネット（登録商標）などの伝送路を接続し、ＩＰｓｅｃ（Security Architecture for Internet Protocol）、ＩＰｖ６（Internet Protocol Version 6）等のプロトコルを処理してＩＰパケットの授受を行なう。
【００８０】
ベースバンド回路２３１０は、通信インターフェイス２３４０を用いて授受するＩＰパケットと、無線上に乗せるＯＦＤＭ信号（ベースバンド信号）の変換（変復調）を行なう。また、ベースバンド信号は無線処理部１３００との間で授受される。
【００８１】
電源装置２３５０は、ＨｅＮＢ３０に供給される電圧を、ＨｅＮＢ３０内部で使用する電圧に変換する。電源装置２３５０は、電源３１と電源制御部３２とから構成される（図２参照）。
【００８２】
ＨｅＮＢ３０における処理は、各ハードウェアおよびＣＰＵ２３２１により実行されるソフトウェアによって実現される。このようなソフトウェアは、ＨＤＤ２３２５等に予め記憶されている場合がある。また、ソフトウェアは、メモリカード（図示せず）その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタその他の読取装置によりその記憶媒体から読み取られて、あるいは、通信インターフェイス２３４０を介してダウンロードされた後、ＨＤＤ２３２５に一旦格納される。そのソフトウェアは、ＣＰＵ２３２１によってＨＤＤ２３２５から読み出され、さらに不揮発性メモリ２３２４に実行可能なプログラムの形式で格納される。ＣＰＵ２３２１は、そのプログラムを実行する。
【００８３】
同図に示されるＨｅＮＢ３０を構成する各構成要素は、一般的なものである。したがって、本発明の本質的な部分は、ＨＤＤ２３２５、不揮発性メモリ２３２４、メモリカードその他の記憶媒体に格納されたソフトウェア、あるいはネットワークを介してダウンロード可能なソフトウェアであるともいえる。なお、ＨｅＮＢ３０の各ハードウェアの動作は周知であるので、詳細な説明は繰り返さない。
【００８４】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、コンピュータが読取可能な一時的でない媒体である。
【００８５】
ここでいうプログラムとは、ＣＰＵにより直接実行可能なプログラムだけでなく、ソースプログラム形式のプログラム、圧縮処理されたプログラム、暗号化されたプログラム等を含む。
【００８６】
［実施の形態２］
実施の形態１においては、ＨｅＮＢ３０は、ゲートウェイ２０との通信が不能となったことを検知した後、処理α〜δのいずれかを実行することにより、携帯型電話機４０に他の基地局へのハンドオーバを実行させた。本実施の形態では、ゲートウェイ２０との通信が不能となったことを検知した後に、各移動局（携帯型電話機４０を含む）に他の基地局へのハンドオーバを指示する指令を送信する構成を説明する。より詳しくは、ＨｅＮＢ３０がハンドオーバの指示を各移動局に出した後に、再度、通信不能なゲートウェイ２０の配下にあるＨｅＮＢ３０にハンドオーバさせないようにするためのＨｅＮＢ３０の構成について説明する。なお、以下では、実施の形態１のＨｅＮＢ３０と区別するために、説明の便宜上、ＨｅＮＢの参照符号を“３０Ａ”と表記する。
【００８７】
図６は、ＨｅＮＢ３０Ａの機能ブロック図である。図６を参照して、ＨｅＮＢ３０Ａは、電源３１と、電源制御部３２と、制御部３３Ａと、メモリ３４と、通信インターフェイス３５と、通信インターフェイス３６と、図示しないタイマを備える。制御部３３Ａは、検知部３３１と、処理実行部３３２と、送信制御部３３３とを備える。
【００８８】
送信制御部３３３は、ゲートウェイ２０の故障が検知されると、携帯型電話機４０を当該ゲートウェイ２０の傘下以外のＨｅＮＢへハンドオーバさせる指令を携帯型電話機４０に送信する。具体的には、送信制御部３３３は、検知部３３１によってゲートウェイ２０との通信が不能な状態になったことが検知されると、ＨｅＮＢ３０に在圏する携帯型電話機４０をＨｅＮＢ３０とは異なる基地局へハンドオーバをさせるための指令を、通信インターフェイス３６を用いて携帯型電話機４０に送信する。当該指令は、具体的には、「感度の一番高い基地局へ移動しろ」といった内容である。この場合、具体的な基地局が指定される。なお、当該指令は、一般的には、車などで移動しているときに発生するハンドオーバ指示と同じ指令である。
【００８９】
処理実行部３３２は、当該指令の送信後、予め定められたタイミングで、携帯型電話機４０をＨｅＮＢ３０に再び在圏させないための予め定められた処理を実行する。なお、「予め定められたタイミング」については、後述する（図７（ｂ））。また、「予め定められた処理」についても後述する（図７（ｃ））。
【００９０】
図７は、通信不能と判断するための判断基準と、処理タイミングと、予め定められた処理の内容とを表した図である。図７（ａ）は、通信不能と判断するための判断基準（故障／輻輳の判断基準）を表した図である。図７（ｂ）は、図７（ｃ）の処理内容を実行するタイミングを表した図である。図７（ｃ）は、予め定められた処理の内容を表した図である。
【００９１】
図７（ａ）を参照して、各判断基準は、実施の形態１において図３（ａ）で示した判断基準と同じである。このため、図７（ａ）に示した基準Ａ〜Ｃについての説明は、ここでは繰り返さない。
【００９２】
図７（ｃ）を参照して、各処理内容は、実施の形態１において図３（ｃ）で示した処理内容と同じである。このため、図７（ｃ）に示した処理α〜δについての説明は、ここでは繰り返さない。
【００９３】
図７（ｂ）を参照して、処理α〜δのいずれかの処理を行なうタイミングのみが、実施の形態１において図３（ｂ）で示したタイミング（つまり、タイミングａ、タイミングｂ）とは異なる。したがって、以下では、図７（ｂ）に示した３つのタイミングを中心にＨｅＮＢ３０Ａの動作を説明する。
【００９４】
なお、ゲートウェイ２０との通信が不能であることの判断基準として、基準Ａ、基準Ｂ、および基準Ｃのいずれを用いるかは、ＨｅＮＢ３０Ａにおいて予め定められている。また、タイミングｃ、タイミングｄ、およびタイミングｅのいずれを用いるかは、ＨｅＮＢ３０Ａにおいて予め定められている。さらに、処理α、処理β、処理γ、および処理δの何れを実施するかについてもＨｅＮＢ３０Ａにおいて予め定められている。
【００９５】
（１．タイミングｃ）
検知部３３１が基準Ａ〜Ｃのうちの予め定められた１つの基準に基づきゲートウェイ２０との通信が不能であることを検知した場合、送信制御部３３３は、通信インターフェイス３６を用いて他の基地局へハンドオーバさせるための指令を、ＨｅＮＢ０３０Ａに在圏している移動局（携帯型電話機４０を含む）に送信する。処理実行部３３２は、当該指令が送信された直後に、処理α〜δのうちの予め定められた１つの処理を実行する。
【００９６】
このように、ハンドオーバ後に処理α〜γが行なわれることにより、ＨｅＮＢ３０と移動局との通信ができなくなる。このため、移動局は、元のＨｅＮＢ３０に戻れなくなる。また、ハンドオーバ後に処理δが行なわれる場合、移動局は、再起動中は元のＨｅＮＢ３０に戻れないが、再起動後には元のＨｅＮＢ３０に戻って可能性がある。また、ＨｅＮＢ３０が移動局のＨｅＮＢへのアクセスを禁止する動作モード（Ｂａｒｒｅｄ設定）である場合にも、移動局が元のＨｅＮＢ３０に戻ってくることはない。
【００９７】
なお、ゲートウェイ２０との通信がすぐに復旧できるような場合には、移動局を他の基地局ではなく元の基地局に戻すために、ＨｅＮＢ３０に処理δ（つまり、再起動）を実行させてもよい。
【００９８】
この場合には、各基準Ａ，Ｂ，Ｃにおいて各処理α，β，γ，δについて述べた効果と同様の効果を得ることができる。より正確には、実施の形態１で述べた１２個の組合せ（具体的には、基準Ａ〜Ｃのいずれか１つの基準と、タイミングａと、処理α〜δのいずれか１つの処理との組合せ）のいずれか１つの組合せにて得られる効果と同様の効果を得ることができる。
【００９９】
さらに、ＨｅＮＢ３０Ａは、携帯型電話機４０に対してハンドオーバの指示を出すため、ハンドオーバの指示を出さない構成に比べて、携帯型電話機４０の消費電力を低減することが可能となる。
【０１００】
（２．タイミングｄ）
検知部３３１が基準Ａ〜Ｃのうちの予め定められた１つの基準に基づきゲートウェイ２０との通信が不能であることを検知した場合、送信制御部３３３は、通信インターフェイス３６を用いて他の基地局へハンドオーバさせるための指令を、ＨｅＮＢ０３０Ａに在圏している移動局（携帯型電話機４０を含む）に送信する。処理実行部３３２は、当該指令が送信されてから予め定められた時間Ｔｄが経過した後に、処理α〜δのうちの予め定められた１つの処理を実行する。
【０１０１】
この場合にも、各基準Ａ，Ｂ，Ｃにおいて各処理α，β，γ，δについて述べた効果と同様の効果を得ることができる。より正確には、実施の形態１で述べた１２個の組合せ（具体的には、基準Ａ〜Ｃのいずれか１つの基準と、タイミングｂと、処理α〜δのいずれか１つの処理との組合せ）のいずれか１つの組合せにて得られる効果と同様の効果を得ることができる。
【０１０２】
さらに、ＨｅＮＢ３０Ａは、携帯型電話機４０に対してハンドオーバの指示を出すため、ハンドオーバの指示を出さない構成に比べて、携帯型電話機４０の消費電力を低減することが可能となる。
【０１０３】
（３．タイミングｅ）
検知部３３１が基準Ａ〜Ｃのうちの予め定められた１つの基準に基づきゲートウェイ２０との通信が不能であることを検知した場合、送信制御部３３３は、通信インターフェイス３６を用いて他の基地局へハンドオーバさせるための指令を、ＨｅＮＢ０３０Ａに在圏している移動局（携帯型電話機４０含む）に送信する。処理実行部３３２は、当該指令に基づき移動局の全てがＨｅＮＢ３０Ａに在圏しなくなったことを確認したときに、処理α〜δのうちの予め定められた１つの処理を実行する。
【０１０４】
この場合にも、各基準Ａ，Ｂ，Ｃにおいて各処理α，β，γ，δについて述べた効果と同様の効果を得ることができる。さらに、ＨｅＮＢ３０Ａは、移動局がハンドオーバしたことを確認した後に処理α〜δのうちの予め定められた１つの処理を実行するため、ＨｅＮＢ３０Ａに移動局が在圏したままの状態で当該予め定められた１つの処理を実行してしまうことを防止できる。
【０１０５】
図８は、ＨｅＮＢ３０Ａの処理の流れを示したフローチャートである。図８を参照して、ステップＳ１２において、ＨｅＮＢ３０Ａの制御部３３Ａは、通信インターフェイス３５を用いて、ゲートウェイ２０の状態監視を行なう。ステップＳ１４において、制御部３３Ａは、検知部３３１がゲートウェイ２０との通信が不能な状態となったことを検知したか否かを判断する。
【０１０６】
制御部３３Ａは、通信が不能な状態になったことを検知部３３１が検知したと判断した場合（ステップＳ１４においてＹＥＳ）、ステップＳ１６において、ＨｅＮＢ３０Ａに在圏する各移動局をＨｅＮＢ３０Ａとは異なる基地局へハンドオーバさせるための指令を、通信インターフェイス３６を用いて当該各移動局に送信する。一方、制御部３３は、通信が不能な状態になったことを検知部３３１が検知していないと判断した場合、処理をステップＳ１２に進める。
【０１０７】
ステップＳ１８において、制御部３３Ａは、予め定められたタイミング（タイミングｃ〜ｅのいずれか）で、移動局をＨｅＮＢ３０Ａに再び在圏させないための処理（処理α、処理β、処理γ、または処理δ）を実行する。
【０１０８】
［実施の形態３］
本実施の形態では、ＨｅＮＢが動作モードを、移動局のＨｅＮＢへのアクセスを許可する動作モードと、アクセスを禁止する動作モード（Ｂａｒｒｅｄ設定）との間で切り換える構成について説明する。なお、Ｂａｒｒｅｄ設定が解除されると、アクセスを許可する動作モードとなる。また、以下では、実施の形態１のＨｅＮＢ３０，３０Ａと区別するために、説明の便宜上、ＨｅＮＢの参照符号を“３０Ｂ”と表記する。
【０１０９】
図９は、ＨｅＮＢ３０Ｂの機能ブロック図である。図９を参照して、ＨｅＮＢ３０Ｂは、電源３１と、電源制御部３２と、制御部３３Ｂと、メモリ３４と、通信インターフェイス３５と、通信インターフェイス３６と、図示しないタイマを備える。制御部３３Ｂは、検知部３３１と、変更部３３４とを備える。
【０１１０】
変更部３３４は、検知部３３１によってゲートウェイ２０との通信が不能な状態になったことが検知されると、ＨｅＮＢ３０Ｂの動作モードを、アクセスを許可する設定からアクセスを禁止する設定（Ｂａｒｒｅｄ設定）に変更する。Ｂａｒｒｅｄ設定がなされることによって、移動局は、報知情報にアクセス不可規制情報（Ｃｅｌｌ  Ｂａｒｒｅｄ）がセットされている基地局にはアクセスできなくなる。
【０１１１】
ＨｅＮＢ３０ＢがＢａｒｒｅｄ設定になると、ＨｅＮＢ３０に在圏している携帯型電話機４０は、ＨｅＮＢ３０との間で通信ができなくなる。それゆえ、携帯型電話機４０は、ＨｅＮＢ３０により構成されるセルの近隣のセルをサーチすることになる。したがって、ＨｅＮＢ３０は、携帯型電話機４０を通信可能な他の基地局へハンドオーバさせることが可能となる。
【０１１２】
また、ＨｅＮＢ３０Ｂ本体の電源をオフすること等の処理（処理α〜δ）を行なわなくても、Ｂａｒｒｅｄ設定を解除しない限り、携帯型電話機４０がＨｅＮＢ３０Ｂに再度在圏することはない。
【０１１３】
また、ＨｅＮＢ３０Ｂは、ゲートウェイ２０との通信が復旧した場合にＢａｒｒｅｄ設定を解除することにより、携帯型電話機４０は再びＨｅＮＢ３０Ｂに在圏可能となる。
【０１１４】
［実施の形態４］
図１０は、本実施の形態に係る通信システム１Ａの構成を示した図である。図１０を参照して、通信システム１Ａは、ＭＭＥ１０と、ゲートウェイ２０Ａと、２つのゲートウェイ２０Ｂと、複数のＨｅＮＢ３０Ｃとを備える。
【０１１５】
ゲートウェイ２０Ａは、ＭＭＥ１０と通信する。また、ゲートウェイ２０Ａは、２つのゲートウェイ２０Ｂと通信する。つまり、ゲートウェイ２０Ａは、ＭＭＥ１０と２つのゲートウェイ２０Ｂとの間の通信を中継する。なお、ゲートウェイ２０Ａのハードウェア構成は、ゲートウェイ２０と同様である。
【０１１６】
各ゲートウェイ２０Ｂは、ゲートウェイ２０Ａと通信する。また、ゲートウェイ２０Ｂは、１つ以上のＨｅＮＢ３０Ｃと通信する。つまり、各ゲートウェイ２０Ｂは、ゲートウェイ２０ＡとＨｅＮＢ３０Ｃとの間の通信を中継する。なお、各ゲートウェイ２０Ａのハードウェア構成は、ゲートウェイ２０と同様である。
【０１１７】
ＨｅＮＢ３０Ｃは、ＨｅＮＢ３０、ＨｅＮＢ３０Ａと同様のハードウェア構成を有する。しかしながら、ＨｅＮＢ３０Ｃは、上述した検知部３３１、処理実行部３３２、送信制御部３３３を備えている必要はない。
【０１１８】
通信システム１Ａでは、ゲートウェイ２０Ｂが、ＨｅＮＢ３０，３０Ａの代わりに、図３および図７に示した、基準Ａ〜Ｃのいずれか１つの判断基準かつタイミングａ〜ｅのいずれか１つのタイミングで、処理α〜δのいずれか１つの処理を実行する。
【０１１９】
より詳しくは、実施の形態１に対応する例としてゲートウェイ２０Ｂを説明すると以下の通りである。ゲートウェイ２０Ｂは、他のゲートウェイ２０Ａによる中継処理によってＭＭＥ１０と通信する。ゲートウェイ２０Ｂは、他のゲートウェイ２０Ａとの通信が不能な状態になったことを検知する検知部（図示せず）を備える。また、ゲートウェイ２０Ｂは、通信が不能な状態になったことが検知されると、当該検知の直後または当該検知がされたときから予め定められた時間が経過した後に、ゲートウェイ２０Ｂに通信可能に接続されたＨｅＮＢ３０Ｃに在圏する移動局を当該ＨｅＮＢ３０Ｃとは異なる基地局にハンドオーバをさせるための予め定められた処理（つまり、処理α、β、γ、またはδ）を実行する処理実行部（図示せず）を備える。
【０１２０】
ここで、ゲートウェイ２０Ｂがゲートウェイ２０Ａの故障を検知すると、ゲートウェイ２０ＢはＨｅＮＢ３０Ｃとの通信を遮断する処理（処理α〜δのいずれか）を行なう。この場合、ゲートウェイ２０Ｂと通信ができなくなったＨｅＮＢ３０Ｃは、移動局に対して、他の通信可能なセルへハンドオーバさせる指示を出す。
【０１２１】
また、実施の形態２に対応する例としてゲートウェイ２０Ｂを説明すると以下の通りである。ゲートウェイ２０Ｂは、他のゲートウェイ２０Ａによる中継処理によってＭＭＥ１０と通信する。ゲートウェイ２０Ｂは、他のゲートウェイ２０Ａとの通信が不能な状態になったことを検知する検知部（図示せず）を備える。また、ゲートウェイ２０Ｂは、通信が不能な状態になったことが検知されると、ゲートウェイ２０Ｂに通信可能に接続されたＨｅＮＢ３０Ｃに在圏する移動局を当該ＨｅＮＢ３０Ｃとは異なる基地局へハンドオーバをさせるための指令を、当該ＨｅＮＢ３０Ｃを介して移動局に送信する送信制御部（図示せず）を備える。さらに、ゲートウェイ２０Ｂは、当該指令の送信後、予め定められたタイミング（つまり、タイミングｃ，ｄ，またはｅ）で、移動局を当該ＨｅＮＢ３０Ｃに再び在圏させないための予め定められた処理（つまり、処理α、β、γ、またはδ）を実行する処理実行部（図示せず）を備える。
【０１２２】
通信システム１Ａを、このような構成とすることによっても、ＨｅＮＢ３０Ｃに在圏している移動局を通信可能な他の基地局へハンドオーバ可能となる。
【０１２３】
＜付記＞
（１）ゲートウェイによる中継処理によってモビリティ管理を行なうエンティティと通信する基地局であって、前記ゲートウェイとの通信が不能な状態になったことを検知する検知手段と、前記通信が不能な状態になったことが検知されると、当該検知の直後または当該検知がされたときから予め定められた時間が経過した後に、前記基地局に在圏する移動局を当該基地局とは異なる基地局にハンドオーバをさせるための予め定められた処理を実行する実行手段とを備える、基地局。
【０１２４】
（２）ゲートウェイによる中継処理によってモビリティ管理を行なうエンティティと通信する基地局であって、前記ゲートウェイとの通信が不能な状態になったことを検知する検知手段と、前記通信が不能な状態になったことが検知されると、前記基地局に在圏する移動局を当該基地局とは異なる基地局へハンドオーバをさせるための指令を、通信インターフェイスを用いて前記移動局に送信する送信制御手段と、前記指令の送信後、予め定められたタイミングで、前記移動局を前記基地局に再び在圏させないための予め定められた処理を実行する実行手段とを備える、基地局。
【０１２５】
（３）前記予め定められたタイミングは、前記指令の送信後の直後、前記指令が送信されときから予め定められた時間が経過した後、または、前記指令の送信後に前記基地局に在圏する移動局がなくなったことを確認したときである、上記（２）に記載の基地局。
【０１２６】
（４）前記ゲートウェイから予め定められた周期で送信される信号を、前記周期よりも長い予め定められた時間以内に受信できない場合、前記ゲートウェイに送信した要求信号に対する応答信号を、当該要求信号を送信したときから予め定められた時間以内に当該ゲートウェイから受信できない場合、または、前記ゲートウェイから当該ゲートウェイが通信不能な状態であることを表した信号を受信した場合、前記検知手段は、前記ゲートウェイとの通信が不能な状態になったと判断する、上記（１）から（３）のいずれかに記載の基地局。
【０１２７】
（５）少なくとも前記検知手段および前記実行手段を含み、前記基地局の動作を制御する制御手段と、電源と、前記制御手段への前記電源による電力の供給の開始および停止を制御する電源制御手段とをさらに備え、前記実行手段は、前記予め定められた処理として、前記電源制御手段に前記電力の供給を停止させる、上記（１）から（４）のいずれかに記載の基地局。
【０１２８】
（６）電源と、前記移動局と通信を行なうための通信インターフェイスと、前記通信インターフェイスへの前記電源による電力の供給の開始および停止を制御する電源制御手段とをさらに備え、前記実行手段は、前記予め定められた処理として、前記電源制御手段に前記電力の供給を停止させる、上記（１）から（４）のいずれかに記載の基地局。
【０１２９】
（７）前記移動局と通信を行なうための通信インターフェイスをさらに備え、前記実行手段は、前記予め定められた処理として、前記通信インターフェイスに前記移動局への信号の送信を停止させる、上記（１）から（４）のいずれかに記載の基地局。
【０１３０】
（８）前記実行手段は、前記予め定められた処理として、前記基地局を再起動させる、上記（１）から（４）のいずれかに記載の基地局。
【０１３１】
（９）ゲートウェイによる中継処理によってモビリティ管理を行なうエンティティと通信する基地局であって、前記ゲートウェイとの通信が不能な状態になったことを検知する検知手段と、前記通信が不能な状態になったことが検知されると、前記基地局の動作モードを前記移動局のアクセスを許可する設定から禁止する設定に変更する変更手段とを備える、基地局。
【０１３２】
（１０）他のゲートウェイによる中継処理によってモビリティ管理を行なうエンティティと通信するゲートウェイであって、前記他のゲートウェイとの通信が不能な状態になったことを検知する検知手段と、前記通信が不能な状態になったことが検知されると、当該検知の直後または当該検知がされたときから予め定められた時間が経過した後に、前記ゲートウェイに通信可能に接続された基地局に在圏する移動局を当該基地局とは異なる基地局にハンドオーバをさせるための予め定められた処理を実行する実行手段とを備える、ゲートウェイ。
【０１３３】
（１１）他のゲートウェイによる中継処理によってモビリティ管理を行なうエンティティと通信するゲートウェイであって、前記他のゲートウェイとの通信が不能な状態になったことを検知する検知手段と、前記通信が不能な状態になったことが検知されると、前記ゲートウェイに通信可能に接続された基地局に在圏する移動局を当該基地局とは異なる基地局へハンドオーバをさせるための指令を、前記基地局を介して前記移動局に送信する送信制御手段と、前記指令の送信後、予め定められたタイミングで、前記移動局を前記基地局に再び在圏させないための予め定められた処理を実行する実行手段とを備える、ゲートウェイ。
【０１３４】
（１２）ゲートウェイによる中継処理によってモビリティ管理を行なうエンティティと通信する基地局におけるハンドオーバ制御方法であって、前記基地局が、前記ゲートウェイとの通信が不能な状態になったことを検知するステップと、前記基地局が、前記通信が不能な状態になったことが検知されると、当該検知の直後または当該検知がされたときから予め定められた時間が経過した後に、前記基地局に在圏する移動局を当該基地局とは異なる基地局にハンドオーバをさせるための予め定められた処理を実行するステップとを備える、ハンドオーバ制御方法。
【０１３５】
（１３）ゲートウェイによる中継処理によってモビリティ管理を行なうエンティティと通信する基地局におけるハンドオーバ制御方法であって、前記基地局が、前記ゲートウェイとの通信が不能な状態になったことを検知するステップと、前記基地局が、前記通信が不能な状態になったことが検知されると、前記基地局に在圏する移動局を当該基地局とは異なる基地局へハンドオーバをさせるための指令を、通信インターフェイスを用いて前記移動局に送信するステップと、前記基地局が、前記指令の送信後、予め定められたタイミングで、前記移動局を前記基地局に再び在圏させないための予め定められた処理を実行するステップとを備える、ハンドオーバ制御方法。
【０１３６】
（１４）ゲートウェイによる中継処理によってモビリティ管理を行なうエンティティと通信する基地局におけるハンドオーバ制御方法であって、前記基地局が、前記ゲートウェイとの通信が不能な状態になったことを検知するステップと、前記基地局が、前記通信が不能な状態になったことが検知されると、前記基地局の動作モードを前記移動局のアクセスを許可する設定から禁止する設定に変更するステップとを備える、ハンドオーバ制御方法。
【０１３７】
（１５）他のゲートウェイによる中継処理によってモビリティ管理を行なうエンティティと通信するゲートウェイにおけるハンドオーバ制御方法であって、前記ゲートウェイが、前記他のゲートウェイとの通信が不能な状態になったことを検知するステップと、前記ゲートウェイが、前記通信が不能な状態になったことが検知されると、当該検知の直後または当該検知がされたときから予め定められた時間が経過した後に、前記ゲートウェイに通信可能に接続された基地局に在圏する移動局を当該基地局とは異なる基地局にハンドオーバをさせるための予め定められた処理を実行するステップとを備える、ハンドオーバ制御方法。
【０１３８】
（１６）他のゲートウェイによる中継処理によってモビリティ管理を行なうエンティティと通信するゲートウェイにおけるハンドオーバ制御方法であって、前記ゲートウェイが、前記他のゲートウェイとの通信が不能な状態になったことを検知するステップと、前記ゲートウェイが、前記通信が不能な状態になったことが検知されると、前記ゲートウェイに通信可能に接続された基地局に在圏する移動局を当該基地局とは異なる基地局へハンドオーバをさせるための指令を、前記基地局を介して前記移動局に送信するステップと、前記ゲートウェイが、前記指令の送信後、予め定められたタイミングで、前記移動局を前記基地局に再び在圏させないための予め定められた処理を実行するステップとを備える、ハンドオーバ制御方法。
【０１３９】
（１７）前記ハンドオーバ制御方法をコンピュータに実行させるためのプログラム。
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１４０】
１，１Ａ  通信システム、２０，２０Ａ，２０Ｂ  ゲートウェイ、４０  携帯型電話機、３０，３０Ａ，３０Ｂ，３０Ｃ  ＨｅＮＢ、３１  電源、３２  電源制御部、３３，３３Ａ，３３Ｂ  制御部、３５，３６，２３４０  通信インターフェイス、１８２，２３２０  制御装置、３３１  検知部、３３２  処理実行部、３３３  送信制御部、３３４  変更部、１３００  無線処理部、２３２１  ＣＰＵ、２３００  ベースバンド部、２３１０  ベースバンド回路、２３２０  制御装置、２３３０  タイミング制御部、２３５０  電源装置。
【図１】
2013051561.tif 000003
【図２】
2013051561.tif 000004
【図３】
2013051561.tif 000005
【図４】
2013051561.tif 000006
【図５】
2013051561.tif 000007
【図６】
2013051561.tif 000008
【図７】
2013051561.tif 000009
【図８】
2013051561.tif 000010
【図９】
2013051561.tif 000011
【図１０】
2013051561.tif 000012
【手続補正書】
【提出日】平成24年11月19日(2012.11.19)
【手続補正１】
【補正対象書類名】特許請求の範囲
【補正対象項目名】全文
【補正方法】変更
【補正の内容】
【特許請求の範囲】
【請求項１】
ゲートウェイによる中継処理によってモビリティ管理を行なうエンティティと通信する基地局であって、
前記ゲートウェイの状態を検知する検知手段と、
前記ゲートウェイの状態に応じて移動局との通信を止める通信制御手段とを備える、基地局。
【請求項２】
ゲートウェイによる中継処理によってモビリティ管理を行なうエンティティと通信する基地局であって、
前記ゲートウェイの状態を検知する検知手段と、
前記ゲートウェイの故障が検知されると、移動局を当該ゲートウェイ傘下以外の基地局へハンドオーバさせる指令を前記移動局に送信する送信制御手段とを備える、基地局。
【請求項３】
前記ゲートウェイから予め定められた周期で送信される信号を、前記周期よりも長い予め定められた時間以内に受信できない場合、前記ゲートウェイに送信した要求信号に対する応答信号を、当該要求信号を送信したときから予め定められた時間以内に当該ゲートウェイから受信できない場合、または、前記ゲートウェイから当該ゲートウェイが通信不能な状態であることを表した信号を受信した場合、前記検知手段は、前記ゲートウェイとの通信が不能な状態になったと判断し、前記通信制御手段は、前記移動局との通信を止める、請求項１に記載の基地局。
【請求項４】
前記ゲートウェイから予め定められた周期で送信される信号を、前記周期よりも長い予め定められた時間以内に受信できないこと、前記ゲートウェイに送信した要求信号に対する応答信号を、当該要求信号を送信したときから予め定められた時間以内に当該ゲートウェイから受信できないこと、または、前記ゲートウェイから当該ゲートウェイが通信不能な状態であることを表した信号を受信したことに基づき、前記検知手段は、前記ゲートウェイの故障を検知する、請求項２に記載の基地局。
【請求項５】
前記通信制御手段は、当該基地局の一部または全部の構成の電源を切る処理、当該基地局から移動局への信号の送信を止める処理、および当該基地局を再起動させる処理の少なくとも１つの処理を実行させる、請求項１に記載の基地局。
【請求項６】
ゲートウェイによる中継処理によってモビリティ管理を行なうエンティティと通信する基地局であって、
前記ゲートウェイの状態を検知する検知手段と、
前記ゲートウェイの故障が検知されると、前記基地局の動作モードを前記移動局のアクセスを許可する設定から禁止する設定に変更する変更手段とを備える、基地局。
【請求項７】
ゲートウェイによる中継処理によってモビリティ管理を行なうエンティティと通信する基地局におけるハンドオーバ制御方法であって、
前記基地局が、前記ゲートウェイの状態を検知するステップと、
前記基地局が、前記ゲートウェイの状態に応じて移動局との通信を止めるステップとを備える、ハンドオーバ制御方法。
【請求項８】
ゲートウェイによる中継処理によってモビリティ管理を行なうエンティティと通信する基地局におけるハンドオーバ制御方法であって、
前記基地局が、前記ゲートウェイの状態を検知するステップと、
前記基地局が、前記ゲートウェイの故障が検知されると、移動局を当該ゲートウェイ傘下以外の基地局へハンドオーバさせる指令を前記移動局に送信するステップとを備える、ハンドオーバ制御方法。
【請求項９】
請求項７または８に記載のハンドオーバ制御方法をコンピュータに実行させるためのプ
ログラム。